(57)【要約】      （修正有）【課題】デスクの横揺れを抑えることができるアジャスタカバー並びにアジャスタを提供する。【解決手段】家具の下端に位置付けられ、旋回させることにより前記家具の一部を上下移動可能に構成しているアジャスタ１９のアジャスタ本体１９ａに係り合わせるものであって、床面に対して面方向に移動不能に接地される高摩擦接地部３１と、この高摩擦接地部３１上に位置付けられアジャスタ本体１９ａの旋回動作を許容しつつアジャスタ本体１９ａを支持する旋回支持部３２と、この旋回支持部３２上に位置付けられアジャスタ本体１９ａに係り合うとともにアジャスタ本体１９ａの面方向への移動を禁止する面移動禁止部３３とを具備する。【選択図】図９
2012090692.tif 000002
【特許請求の範囲】
【請求項１】
家具の下端に位置付けられ、旋回させることにより前記家具の一部を上下移動可能に構成しているアジャスタにおいて床面に接地し得るアジャスタ本体に係り合わせるものであって、
床面に対して面方向に移動不能に接地される高摩擦接地部と、
この高摩擦接地部上に位置付けられ前記アジャスタ本体の旋回動作を許容しつつ前記アジャスタ本体を支持する旋回支持部と、
この旋回支持部上に位置付けられ前記アジャスタ本体に係り合うとともに前記アジャスタ本体の面方向への移動を禁止する面移動禁止部とを具備することを特徴とするアジャスタカバー。
【請求項２】
前記アジャスタ本体が平面視円形状をなすものであり、
前記面移動禁止部が前記アジャスタ本体の外側面に当接し得るものである請求項１記載のアジャスタカバー。
【請求項３】
旋回支持部が、アジャスタ本体の底面に当接し、且つ前記アジャスタ本体の底面の旋回を許容する滑動表面を有している請求項１または２記載のアジャスタカバー。
【請求項４】
前記高摩擦接地部と、前記旋回支持部とを移動不能に接続している請求項３記載のアジャスタカバー。
【請求項５】
請求項１、２、３または４記載のアジャスタカバーを備えてなることを特徴とするアジャスタ。
【発明の詳細な説明】
【技術分野】
【０００１】
本発明は、家具のアジャスタに装着するアジャスタカバー及び当該アジャスタカバーを備えたアジャスタに関するものである。
【背景技術】
【０００２】
室内に配置した家具が地震発生時に激しく揺れ動きまたは転倒して被害が発生することを予防するべく、固定具を使用して家具を建築構造物の壁面や床面に固定することが従来より行われている（例えば、特許文献１及び特許文献２を参照）。
【０００３】
ここで、大型の書棚や収納庫等の一定の場所に常設される家具であれば、これを完全に固定してしまっても特段の支障はない。だが、室内を移動させる機会のある家具の場合であれば、模様替えや清掃、あるいはコード類の配線作業等の際に少なからず不便になる。
【０００４】
また特に、固定具を使用して家具を建築構造物の床面に固定する場合、家具に本来設けられているアジャスタがそのまま固定されたり、アジャスタとは別異の箇所を固定具により固定されたりするような場合には、アジャスタによる家具の姿勢の調節が十分に行えず、却って地震発生時に揺れ動きやすい状態となってしまうことも考えられる。
【先行技術文献】
【特許文献】
【０００５】
【特許文献１】特開平０８−２９９０８６号公報
【特許文献２】特開平０９−１３１２３５号公報
【発明の概要】
【発明が解決しようとする課題】
【０００６】
本発明は、このような不具合に着目したものであり、アジャスタを有効に利用しながら家具の横滑りを抑えることを目的としている。
【課題を解決するための手段】
【０００７】
本発明は、このような目的を達成するために、次のような手段を講じたものである。
【０００８】
すなわち本発明に係るアジャスタカバーは、家具の下端に位置付けられ、旋回させることにより前記家具の一部を上下移動可能に構成しているアジャスタにおいて床面に接地し得るアジャスタ本体に係り合わせるものであって、床面に対して面方向に移動不能に接地される高摩擦接地部と、この高摩擦接地部上に位置付けられ前記アジャスタ本体の旋回動作を許容しつつ前記アジャスタ本体を支持する旋回支持部と、この旋回支持部上に位置付けられ前記アジャスタ本体に係り合うとともに前記アジャスタ本体の面方向への移動を禁止する面移動禁止部とを具備することを特徴とする。
【０００９】
このようなものであれば、高摩擦接地部により家具が横滑りを起こし難くなるとともに、旋回支持部によってアジャスタの高さ調節は床面との摩擦とは関係なく常にアジャスタを最適な状態に調整することができる。地震の際には家具が横滑りもがたつきも起こし難くなることで、地震によるデスク回りの被害を有効に抑えることができる。
【００１０】
アジャスタが平面視円形状をなすものであれば、アジャスタ本体の平面視の移動を有効に抑えるための構成として、面移動禁止部がアジャスタの外側面に当接し得るようにしたものを挙げることができる。
【００１１】
また、旋回支持部の具体的な構成として、アジャスタ本体の底面に当接し、且つ前記アジャスタ本体の底面の旋回を許容する滑動表面を有するものとすることが望ましい。アジャスタ本体の底面を旋回させるための構成としては、旋回支持部の表面に加工を施したり、潤滑剤を塗布するなど、既存の態様を種々適用することができる。
【００１２】
滑動表面を有する態様とすれば、高摩擦接地部と、旋回支持部とを移動不能に接続して、アジャスタカバーの構成を簡素化することも可能である。
【００１３】
そして本発明に係るアジャスタは、上述したアジャスタカバーを備えてなることを特徴とするものである。。
【発明の効果】
【００１４】
本発明によれば、家具の横滑りが起こり難くなるとともに家具を最適に高さ調整することができる。
【図面の簡単な説明】
【００１５】
【図１】本発明の一実施形態に係る外観図。
【図２】同実施形態に係る要部の外観図。
【図３】同構成説明図。
【図４】同実施形態に係る要部の斜視図。
【図５】同分解斜視図。
【図６】同実施形態に係る要部の他の斜視図。
【図７】同上。
【図８】同実施形態に係る要部の外観図。
【図９】同分解斜視図。
【図１０】同構成説明図。
【図１１】同実施形態に係る断面図。
【図１２】同実施形態の変形例１に係る外観図。
【図１３】同変形例２に係る外観図。
【図１４】同変形例３に係る外観図。
【発明を実施するための形態】
【００１６】
以下、本発明の一実施の形態について図面を参照して説明する。
【００１７】
本実施形態に係る天板連結具２及びアジャスタカバー３、そしてデスク１の連結構造Ｘは、例えば図１に示されるような、地震による被害を有効に抑えることができるデスクシステムＳに好適に適用されている。このデスクシステムＳは、同図に示すように本発明に係るアジャスタカバー３を具備したアジャスタ１９を有している２つのデスク１と、これらデスク１の天板１１同士を連結するための天板連結具２とを有している。同図では、一例として天板１１の反使用縁部１１ｂ同士を連結することにより２つのデスク１を連結した態様を図示しているが、勿論、２つ以上のデスク１を連結したものであっても良い。以下、このデスクシステムＳを構成する各構成要素について説明する。
【００１８】
デスク１は、平面視矩形状をなす天板１１と、この天板１１の側縁部１１ｃから垂下させて設けることにより当該天板１１を下方から支持する脚体１２とを主に有している。
【００１９】
天板１１は、主に使用者の作業領域として使用され得る天板本体１３と、反使用縁部１１ｂ側の３箇所において開閉可能に配置され、配線を適宜収容し得るダクト部１４と、ダクト部１４の間に配置され、ダクト部１４のダクトカバー１４ａを回転可能に支持しているカバー支持部１５と、天板１１の側縁部１１ｃであり、反使用縁部１１ｂでもある位置、すなわちコーナーに位置付けられるとともにダクトカバー１４ａを回転可能に支持しているコーナー部１６と、このコーナー部１６に設けられた、図３及び図５に示す、オプション部材を取付けるための開口１７とを有している。なおオプション部材とは、本実施形態で図示並びに説明を省略するが、例えば電話台やデスクトップパネル、又はタスクライト等、既存のデスク１に対して使用される種々の備品を指すものである。コーナー部１６は、図５に示すように、上方に露出して天板１１の上面の一部を構成する樹脂製のコーナーカバー１６ａと、脚体の上端に固定されてこのコーナーカバー１６ａと係り合うカバー取付部１６ｂとを有している。そして本実施形態ではこのカバー取付部１６ｂに形成された被係合部１７ｂが、開口１７内部に露出している。そしてこの開口１７は、図５に示すように、その内部に樹脂製の被係合部１７ｂと、金属つまり板金からなる被当接部１７ａを有している。この被当接部１７ａとは、本実施形態では脚本体１８を構成している板金の内側面が開口１７に露出しているものである。これら被係合部１７ｂ、被当接部１７ａの作用については後に詳述する。
【００２０】
脚体１２は、本実施形態では使用縁１１ａ側の上下方向中間が大きく退避するように形成された形状、すなわち側面視コの字状の脚本体１８と、この脚本体１８の下端部１８ａに取付けられたアジャスタ１９とを有している。脚本体１８は、例えば板金材の折り曲げによって構成されたものであるが、勿論図示の態様、形状に限られることはなく、例えば矩形状のパネル脚であっても、天板１１の隅部から棒状に垂下する態様の例えばパイプ材からなる脚であっても良い。
【００２１】
アジャスタ１９は、脚体１２の下端部１８ａ前後端、すなわちデスク１当たりに４つ、それぞれ取付けられたもので、床面の面方向に旋回させることにより家具の一部、つまりアジャスタ１９以外のデスク１の前構成要素を上下移動させることにより、これらアジャスタ１９の何れかが床面から浮上することが無いようにがたつき無く、且つ、天板１１の上面を傾斜無く水平に保持するためのものである。このアジャスタ１９は、例えば中実な硬質樹脂製のアジャスタ本体１９ａと、このアジャスタ本体１９ａの上部に位置付けられた例えば平面視六角形状のナット部１９ｂと、このナット部１９ｂから上方に延出する雄ネジ部１９ｃとを一体的に有するとともに、後に詳述するアジャスタカバー３を有したものである。またこのアジャスタ本体１９ａは平面視真円形状をなす円筒状のものであり、外側面１９ｄが平面視脚体１２の範囲内に収まる程度の大きさをなすものとともに、底面である接地面１９ｅを平坦として床面に支持させ得るようにしているものである。
【００２２】
天板連結具２は、図４に示すように、天板１１の縁同士が密接している状態で、図１では複数のデスク１同士を連結するためのものであって、例えば平面視矩形状をなす平板状の連結具本体２１と、この連結具本体２１から２箇所において、平面視概略チャネル状に垂下した金属板材を主体とする嵌入部２２とを有している。
【００２３】
連結具本体２１は、図２ないし図４に示すように、前記天板１１の面上において平面視複数の天板１１に亘る位置に位置付けられるものである。この連結具本体２１は、上面側は開口１７への装着時に上方に大きく突出しないように平板状に形成されている。そして下面側には、２箇所において嵌入部２２を固定支持している。
【００２４】
嵌入部２２は、連結具本体２１に取付けられ、前記複数の天板１１にそれぞれ設けられたオプション取付け用の開口１７にそれぞれ嵌入するためのものである。この嵌入部２２は、先端側に設けられた平板状の当接面２３ａを有する金属製の当接部２３と、この当接部２３よりも若干上方に形成された穴に取付けられた樹脂の弾性変形により若干動作し得る係合面２４ａを有する係合部２４とを具備している。
【００２５】
ここで、この天板連結具２は図４に示したもの他、図６及び図７に示す天板連結具２を適宜用いることにより、より多くのデスク１を連結したり、多数のデスク１を所望の平面視形状に配列したりすることが可能である。
【００２６】
すなわち図６に示す天板連結具２を用いることにより、同じ方向に隣り合わせに並んだデスク１の天板１１の側縁部１１ｃ同士を連結することが可能である。
【００２７】
また図７に示すような、１つの連結具本体２１に対し４つの嵌入部２２を設けた天板連結具２を用いることにより、側縁部１１ｃ、反使用縁部１１ｂ同士を密着させて平面視矩形状に配列した４つのデスク１の集まりの中央部分を好適に連結することが可能である。
【００２８】
一方、アジャスタカバー３は、図８ないし図１１に示すように本実施形態ではアジャスタ１９を構成する一要素であり、アジャスタ本体１９ａに対し、係り合わせるものである。詳細には、このアジャスタカバー３はアジャスタ本体１９ａに対し下方から覆い被せるように取付ける例えば樹脂製、皮革製のものである。そして、このアジャスタカバー３は、床面に接地させるための高摩擦接地部３１と、この高摩擦接地部３１の上方においてアジャスタ本体１９ａを支持する旋回支持部３２と、旋回支持部３２に支持されたアジャスタ本体１９ａの平面視における位置の移動を禁止するための面移動禁止部３３とを一体的に設けたものである。なお、本実施形態ではこのアジャスタカバー３の一例を示すものであるが、例えばオフィスの床に使用される素材、具体的には、フローリングタイプの床やカーペットタイプの床面に応じて、材質の異なるアジャスタカバー３を適宜選択するようにしても良い。
【００２９】
高摩擦接地部３１は、例えば摩擦性の高い合成ゴム等の素材からなる平面視真円形状をなすシート状のものであり、その下面である摩擦接地面３１ａが例えばフローリングタイプの床やカーペットに対してずれ難く密着することにより、床面に対して面方向に移動不能に接地されるものである。また本実施形態の高摩擦接地部３１は単に摩擦力のみでずれがたく構成されるものに限られず、例えば表面に粘着処理が施されたものを用いても良い。
【００３０】
旋回支持部３２は、本実施形態ではその裏面（下面）に高摩擦接地部３１に対して例えば一体的に接着されているものであり、アジャスタ本体１９ａの旋回動作の際に当接しているアジャスタ本体１９ａの底面である接地面１９ｅをこの表面（上面）３２ａ上で滑らせることにより、アジャスタ本体１９ａを旋回可能に構成している。なお、アジャスタ本体１９ａの旋回動作を滑らかにすべくその表面３２ａを図示しない加工や処理が施された滑動表面３２ａとしても良い。
【００３１】
面移動禁止部３３は、旋回支持部３２の周縁から円筒状に突出した立壁状のものである。この面移動禁止部３３は、アジャスタ本体１９ａの外側面１９ｄに接し得る滑動許容面３３ａを有している。面移動禁止部３３の内径寸法はアジャスタ本体１９ａの外形寸法より僅かに大きく設定されている。そなわち、アジャスタ本体１９ａの旋回を許容しつつアジャスタカバー３に対する面方向のがたつきが無いように設定されている。これにより、アジャスタ本体１９ａの平面視の移動、換言すればアジャスタ本体１９ａの中心位置の平面視の移動を抑えるとともに、アジャスタ本体１９ａの回転を滑動許容面３３ａによって許容し得るものとなっている。なお、滑動許容面３３ａに、前記滑動表面３２ａと同様の加工や処理を施しても良い。
【００３２】
しかして、上述したオプション取付け用の開口１７と天板連結具２とを利用した本実施形態に係る連結構造Ｘは、天板１１同士を容易に位置決め、取り外しが可能であるとともに、天板連結具２の装着時には天板１１同士を強固に連結し得るものとなっている。
【００３３】
つまり、図４並びに図５に示すように、開口１７の内部には、樹脂製の被係合部１７ｂが嵌入部２２にある同じく樹脂製の係合部２４、詳細には係合面２４ａに係り合うことにより、正確に位置決めされるとともに、この状態では嵌入部２２の当接部２３が板金製の被当接部１７ａに対して当接した状態が維持されている。つまり金属同士の当接により、強固に連結されている。勿論上記の位置決めを解除する際には、連結具本体２１を手で摘んで上方へ抜くが、このときは小さな力で樹脂製の係合部２４、被係合部１７ｂの係合が解除されるので、使用者は天板連結具２を容易に引き抜くことができる。
【００３４】
このように、本実施形態に係るデスクシステムＳは、天板連結具２とオプション取付け用の開口１７とによってデスク１の天板１１同士を連結することでこれら複数のデスク１のうちの個々のデスク１が地震により激しく揺れてしまうことを互いのデスク１同士で有効に抑えている構成となっている。
【００３５】
加えてこのデスクシステムＳは、図８ないし図１１に示すように、アジャスタ１９がアジャスタカバー３を備えることにより、平面視の移動が禁止されながらも調整作業は好適に行うことができるので、常に個々のデスク１ががたつきなく、且つ、アジャスタ１９の面方向への移動を有効に禁止することで、地震の横滑りにも強く、がたつき等による天板１１上の備品等の落下、倒伏を有効に回避し得るものとなっている。
【００３６】
以上のような構成とすることにより、本実施形態に係るアジャスタカバー３は、高摩擦接地部３１により家具が横滑りを起こし難くなるとともに、旋回支持部３２によってアジャスタ１９の高さ調節は床面との摩擦とは関係なく常にアジャスタ１９を最適な状態に調整することができる。地震の際には家具が横滑りもがたつきも起こし難くなることで、地震によるデスク１回りの被害を有効に抑え得るものとなっている。
【００３７】
本実施形態では平面視円形状をなすアジャスタ本体１９ａを適用していることから、アジャスタ本体１９ａの平面視の移動を有効に抑えるための構成として、面移動禁止部３３がアジャスタ本体１９ａの外側面１９ｄに密着するようにしている。これによりアジャスタ本体１９ａのアジャスタカバー３に対する平面視の移動を有効に禁止している。
【００３８】
また本実施形態では、旋回支持部３２が好適にアジャスタ１９を旋回させ得るように、アジャスタ本体１９ａの底面である接地面１９ｅに当接し、且つアジャスタ本体１９ａの接地面１９ｅの旋回を許容する滑動表面３２ａを設けている。なおアジャスタ本体１９ａの接地面１９ｅを旋回させるための構成としては、旋回支持部３２の表面に加工を施したり、潤滑剤を塗布したりするなど、既存の態様を種々適用することができる。そして本実施形態では、滑動表面３２ａを設けていることにより、高摩擦接地部３１と、旋回支持部３２とを移動不能に接続して、アジャスタカバー３の構成を、可動部分を設けずに簡素化することを実現している。
【００３９】
＜変形例１＞
以下、本実施形態の各変形例について詳述するが、上記実施形態における構成要素に相当する構成要素については同じ符号を付すとともに、その詳細な説明を省略するものとする。
【００４０】
上記実施形態では、アジャスタカバー３の構成要素はそれぞれ相対動作不能に一体的に設けられた態様を開示した。しかし勿論、図１２に示されるようなアジャスタカバー３のように、高摩擦接地部３１が旋回支持部３２に対して矢印で示されるように旋回可能に構成されたものとしてもよい。この場合、旋回支持部３２及び面移動禁止部３３の表面はアジャスタ本体１９ａの底面である接地面１９ｅ、外側面１９ｄに滑らずに密着し得るものとしても良い。
【００４１】
＜変形例２＞
また、上記実施形態では、面移動禁止部３３はアジャスタ本体１９ａに外嵌する態様のみを開示したが、勿論図１３に示されるようにアジャスタ本体１９ａの底面に形成された図示しない凹部に嵌合するように密着し得るものであってもよい。
【００４２】
また勿論、上記変形例１のような、高摩擦接地部３１が旋回支持部３２に対して旋回可能な構成を適用するのであれば、旋回支持部３２とアジャスタ本体１９ａとの係り合いは種々の形状を適用することが可能である。
【００４３】
＜変形例３＞
図１４に示す変形例３のように、旋回支持部とアジャスタ本体１９ａとの係り合いの一例として、抜止部３４を設けた態様を上げることができる。この抜止部３４は、立壁状の旋回支持部３２の４箇所に形成されたものであり、旋回支持部３２の一部を切り欠くことにより横方向に弾性変形し得るように設けられた弾性片３４ａとこの弾性片３４ａの上端を内方に延出させることにより、アジャスタ本体１９ａに上側から当接することによってアジャスタ本体１９ａの下方への抜脱を禁止し得る係止部３４ｂとを有したものである。
【００４４】
この抜止部３４により、例えばデスク１を一時的に持ち上げた場合であってもアジャスタ本体１９ａからアジャスタカバー３が抜脱することを有効に禁止することができる。
【００４５】
＜変形例４＞
高摩擦接地部３３は、床面の表面が繊維で構成されるもの（例えば、絨毯、カーペット等）である場合には、当該繊維と係り合うことにより摩擦力を発揮する繊維係り合い手段（図示せず）としても良い。
【００４６】
繊維係り合い手段は、係合突起であれば良く、例えば、面ファスナの表面を構成するような多数のフック状又はループ状のものや、合成樹脂や金属等からなる小突起状、鋸歯状、尖端状等のいずれか又は複数で構成すれば良い。
【００４７】
以上、本発明の実施形態について説明したが、各部の具体的な構成は、上述した実施形態のみに限定されるものではなく、本発明の趣旨を逸脱しない範囲で種々変形が可能である。
【００４８】
例えば、上記実施形態のアジャスタカバーは面移動禁止部がアジャスタ本体に外嵌するので、アジャスタを持ち上げればアジャスタカバー自体も持ち上がるものとなっていたが、勿論、アジャスタカバーを持ち上げればアジャスタとアジャスタカバーとの係り合いが解除される態様のものであってもよい。またアジャスタ本体の平面視形状やナット部の具体的な態様は上記実施形態のものに限定されることはなく、既存のものを含め、種々の態様のものを適用することができる。
【００４９】
その他、各部の具体的構成についても上記実施形態に限られるものではなく、本発明の趣旨を逸脱しない範囲で種々変形が可能である。
【産業上の利用可能性】
【００５０】
本発明は家具のアジャスタに装着するアジャスタカバー及びアジャスタとして利用することができる。
【符号の説明】
【００５１】
１８ａ…家具の下端（下端部）
１９…アジャスタ
１９ａ…アジャスタ本体
１９ｄ…外側面
１９ｅ…底面(接地面)
３…アジャスタカバー
３１…高摩擦接地部
３２…旋回支持部
３３…面移動禁止部
３２ａ…滑動表面
【図１】
2012090692.tif 000003
【図２】
2012090692.tif 000004
【図３】
2012090692.tif 000005
【図４】
2012090692.tif 000006
【図５】
2012090692.tif 000007
【図６】
2012090692.tif 000008
【図７】
2012090692.tif 000009
【図８】
2012090692.tif 000010
【図９】
2012090692.tif 000011
【図１０】
2012090692.tif 000012
【図１１】
2012090692.tif 000013
【図１２】
2012090692.tif 000014
【図１３】
2012090692.tif 000015
【図１４】
2012090692.tif 000016